【手続補正書】
【提出日】平成26年11月6日(2014.11.6)
【手続補正１】
【補正対象書類名】特許請求の範囲
【補正対象項目名】全文
【補正方法】変更
【補正の内容】
【特許請求の範囲】
【請求項１】
２つの開口端を有する外筒（１０）と、
単位用量の薬剤を含有するブリスターを対称壁（１２）の対向するチャネルに挿入および固定できるように、端部で結合し、内面が肋骨で補強される２つの対向する前記対称壁（１２）を含む、前記外筒（１０）内に位置する内部構造と、
前記外筒（１０）内に前記内部構造を挿入し、かつ前記外筒（１０）から前記内部構造を引き出すための牽引手段と
を含む、単位用量の薬剤用の保管チューブ。
【請求項２】
前記牽引手段が、前記壁（１２）の少なくとも１つの外面に配置された歯竿（２６）と、加えて、前記外筒（１０）に配置されており、前記歯竿（２６）が入ることが可能な牽引用窓（２８）と、を含み、前記歯竿（２６）が、前記保管チューブが挿入される外部装置に存在する電動式歯車列の歯車（３０）に合わせるのに好適であることを特徴とする、請求項１記載の単位用量の薬剤用の保管チューブ。
【請求項３】
前記外筒（１０）に対して前記内部構造を不動に保持し、前記外筒（１０）からの前記内部構造の引き出しが要求されるときには解放できる連結手段も含むことを特徴とする、請求項１または２いずれか１項記載の単位用量の薬剤用の保管チューブ。
【請求項４】
前記連結手段が、
前記内部構造の少なくとも１つの前記壁（１２）の外面に形成された少なくとも１つのノッチ（１８）と、
前記外筒（１０）の内面に位置し、軸を中心に旋回するように取り付けられた少なくとも１つの歯止め（２０）であって、前記歯止め（２０）の端部の１つの形状が、前記少なくとも１つのノッチ（１８）と相互補完的な形状であり、前記形状により、第一の位置において、前記歯止め（２０）の前記端部が前記ノッチ（１８）内に挿入して前記外筒（１０）に対して前記内部構造を不動に保持する、少なくとも１つの歯止め（２０）と、
前記少なくとも１つの歯止め（２０）を前記内部構造の前記第一の不動位置の方に推し進める少なくとも１つのバネ（２２）と、
前記外筒（１０）に実行され、前記少なくとも１つの歯止め（２０）の各々に対向して位置付けられた少なくとも１つのオリフィス（１６）であって、外部装置からのそれぞれのボルトを導き入れることによって、前記少なくとも１つの歯止め（２０）を、前記内部構造を解放する第二の位置に向けて、前記歯止め（２０）のそれぞれのバネ（２２）に押し付けて旋回させるようにしてなる、少なくとも１つのオリフィス（１６）と、
を含むことを特徴とする、請求項３記載の単位用量の薬剤用の保管チューブ。
【請求項５】
前記保管チューブの中身に関するデータを保存するためのチップをさらに含むことを特徴とする、請求項１〜４いずれか１項記載の単位用量の薬剤用の保管チューブ。
【請求項６】
請求項１〜５いずれか１項記載の単位用量の薬剤用の保管チューブ用の注入装置であって、
単位用量の薬剤用の保管チューブが挿入されるハウジング（３６）と、
前記内部構造を前記外筒（１０）から引き出し、かつ前記内部構造を前記外筒（１０）内に挿入するための牽引手段と、
単位用量の薬剤を含有するブリスター（４０）を、前記内部構造の内部に到達させるためのコンベヤベルト（３８）と、
を含む、注入装置。
【請求項７】
前記コンベヤベルト（３８）と前記ハウジング（３６）との間に配置された、単位用量の薬剤の運搬トレイ（４２）をさらに含み、前記運搬トレイ（４２）が、前記単位用量の薬剤を前記コンベヤベルト（３８）から前記内部構造の内部まで移送することを特徴とする、請求項６記載の注入装置。
【請求項８】
前記牽引手段が、
モータ（３２）と、
前記モータ（３２）に接続されたウォームネジ（３４）と、
前記ウォームネジ（３４）と接触する少なくとも１つの歯車（３０’）、および前記保管チューブの前記外筒（１０）に存在し、前記内部構造における前記歯竿（２６）の各々と接触する前記牽引用窓（２８）の各々に対応する１つの歯車（３０）を含む歯車列と、
を含み、
第一の方向または第二の方向における前記モータ（３２）の作動によって、前記外筒（１０）に対する前記内部構造の前記引き出しまたは導き入れを別々に行うことを特徴とする、請求項２記載の保管チューブに注入するための、請求項６または７記載の注入装置。
【請求項９】
延伸位置と引込位置との間を移動可能であり、前記保管チューブの前記外筒（１０）に実行された前記少なくとも１つのオリフィス（１６）に、延伸位置において挿入するように配置され、前記少なくとも１つの歯止め（２０）に対向して位置付けられた少なくとも１つのボルトであって、それ故に、前記少なくとも１つの歯止め（２０）を、前記内部構造を解放する位置に向けて、前記歯止め（２０）のそれぞれのバネ（２２）に押し付けて旋回させ、同時に、前記注入装置に対して前記外筒（１０）を不動に固定する、少なくとも１つのボルトと、
前記少なくとも１つのボルトを引込位置に移動させ、前記少なくとも１つのそれぞれのオリフィス（１６）から前記ボルトを取り外すための押しボタンであって、該取り外しによって、前記少なくとも１つの歯止め（２０）を前記外筒（１０）に対して前記内部構造を不動にする位置に戻し、前記保管チューブをそのハウジング（３６）から引き出すことが可能になる、押しボタンと、
をさらに含む、請求項４記載の保管チューブに注入するための、請求項６〜８いずれか１項記載の注入装置。
【請求項１０】
前記保管チューブが前記ハウジング（３６）内に挿入され、前記外筒（１０）が前記少なくとも１つのボルトによってその箇所に固定されたときに圧縮される、前記保管チューブの押し出しバネであって、押しボタンの押圧により前記少なくとも１つのボルトが引込位置の方に移動すると、前記保管チューブを前記ハウジング（３６）から外に押し出す押し出しバネをさらに含むことを特徴とする、請求項９記載の注入装置。
【請求項１１】
前記コンベヤベルト（３８）の上に配置されており、前記コンベヤベルト（３８）に方向付けられた人工視覚カメラ（４４）をさらに含み、前記カメラ（４４）が、前記保管チューブ内に導き入れられる前記単位用量の薬剤のサイズを測定し、それ故に、該外筒（１０）内に前記モータ（３２）によって導き入れる必要がある前記内部構造のチャネルの数を決定し、これにより、前記単位用量の薬剤の導き入れのための十分な空間を提供しながらの、前記内部構造の容量の最大利用が可能になることを特徴とする、請求項６〜１０いずれか１項記載の注入装置。
【請求項１２】
前記保管チューブを前記ハウジング（３６）内に挿入したときに、前記保管チューブの前記チップ内に含まれているデータを消去し、前記保管チューブをそのハウジング（３６）から押し出す前に、前記保管チューブ内に保管された前記単位用量の薬剤に関するデータを書き込むための、前記保管チューブの前記チップ内の書き込み手段をさらに含むことを特徴とする、請求項５記載の保管チューブに注入するための、請求項６〜１１いずれか１項記載の注入装置。
【請求項１３】
請求項１〜５いずれか１項記載の保管チューブが提供される薬剤分配キャビネットであって、
外側本体（４８）と、
単位用量の薬剤のリクエストに関する情報を取り込む手段と、
単位用量の薬剤用の保管チューブに各々が適する複数個のハウジングと、
それぞれのハウジング内にある各保管チューブの固定手段と、
前記単位用量の薬剤のリクエストに関する情報に従い、前記複数個のハウジングのいずれかを移動するように配置されたホイスト（５２）と、
保管チューブの前記外筒（１０）から各内部構造を引き出し、各内部構造を前記外筒（１０）内に挿入するための、前記ホイストにおける牽引手段と、
連帯動作するように前記ホイスト（５２）と結合するコンベヤベルト（５４）と、
前記牽引手段によって引き出された保管チューブの内部構造から前記コンベヤベルト（５４）に、単位用量の薬剤を含有するブリスターを押し出すための手段と、
端部の１つが前記ホイスト（５２）の側方向（６０）に存在するガイドレール（５８）内に挿入された一対のクランプ（５６）と、
前記クランプ（５６）によって開放位置に保持され、前記コンベヤベルト（５４）によって運ばれた単位用量の薬剤を受け入れるように配置された収集バッグ（６２）と、
すべての単位用量の薬剤を取り込んだ時点で前記収集バッグを密閉するための前記収集バッグ（６２）の密閉手段と、
前記収集バッグ（６２）内に取り込まれた前記単位用量の薬剤に関する情報をラベルに書くための書き込み手段（６２）と、
前記ラベルを前記収集バッグ（６２）に貼るための手段と、
前記閉じたバッグを外部に出すための出力チャネルと、
を含む、薬剤分配キャビネット。
【請求項１４】
前記固定手段が、延伸位置と引込位置との間を移動可能であり、前記保管チューブの前記外筒（１０）に実行された前記少なくとも１つのオリフィス（１６）に、延伸位置において挿入するように配置され、前記少なくとも１つの歯止め（２０）に対向して位置付けられた少なくとも１つのボルトであって、それ故に、前記少なくとも１つの歯止め（２０）を、前記内部構造を解放する位置に向けて、前記歯止め（２０）のそれぞれのバネ（２２）に押し付けて旋回させ、同時に、該ハウジングに対して前記外筒（１０）を不動に固定する、少なくとも１つのボルトを含み、前記固定手段が、前記少なくとも１つのボルトを引込位置に移動させ、前記少なくとも１つのそれぞれのオリフィス（１６）からボルトを取り外すための手段であって、該取り外しによって、前記少なくとも１つの歯止め（２０）を前記外筒（１０）に対して前記内部構造を不動にする位置に戻し、前記保管チューブを前記ハウジング（３６）から引き出すことが可能になる手段をさらに含むことを特徴とする、請求項４記載の保管チューブから単位用量の薬剤を分配するための、請求項１３記載の薬剤分配キャビネット。
【請求項１５】
前記牽引手段が、前記ホイスト（５２）内に組み込まれており、
モータ（３２）と、
前記モータ（３２）に接続されたウォームネジ（３４）と、
前記ウォームネジ（３４）と接触する少なくとも１つの歯車（３０’）、および前記保管チューブの前記外筒（１０）に存在し、前記内部構造における前記歯竿（２６）の各々と接触する前記牽引用窓（２８）の各々に対応する歯車（３０）を含む歯車列と、を含み、
第一の方向または第二の方向における前記モータ（３２）の作動によって、前記外筒（１０）に対する前記内部構造の引き出しまたは導き入れを別々に行うことを特徴とする、請求項２記載の保管チューブから単位用量の薬剤を分配するための、請求項１３または１４いずれか１項記載の薬剤分配キャビネット。
【請求項１６】
請求項１〜５いずれか１項記載の保管チューブに単位用量の薬剤を注入する方法であって、
ａ）前記保管チューブを固定位置に設置するステップと、
ｂ）前記外筒（１０）から前記内部構造を引き出すステップと、
ｃ）前記内部構造の前記壁（１２）の対向するチャネル間に固定するように単位用量の薬剤を含有するブリスター（４０）を導き入れるステップと、
ｄ）単位用量の薬剤を含有する別のブリスター（４０）を導き入れるための十分な空間を前記外筒内に提供するように、前記内部構造を一定の数のチャネルと共に該外筒（１０）内に挿入するステップと、
ｅ）前記内部構造がその外筒（１０）内に完全に挿入されるまで、ステップｃ）およびステップｄ）を繰り返すステップと、
を含む、方法。